(57)【要約】  噴水システムが提供される。噴水システムは、延伸及び後退中に伸縮するように構成された本体と、本体の端部に結合されたノズル出口と、を含む噴水ノズルを備える。噴水システムはまた、本体の延伸及び後退を作動させるように構成された延伸システムを備える。噴水システムはまた、ノズル出口からの水などの液体の排出を作動するように構成された作動システムを備える。延伸システム及び作動システムが、個別のシステムである。【選択図】図１
2021536356.tif 000002
【特許請求の範囲】
【請求項１】
噴水システムであって、
噴水ノズルであって、延伸及び後退中に伸縮するように構成された本体と、前記本体の端部に結合されたノズル出口と、を含む噴水ノズルと、
前記本体の延伸及び後退を作動させるように構成された延伸システムと、
前記ノズル出口からの液体の排出を作動させるように構成された作動システムと、
を備え、前記延伸システム及び前記作動システムが個別のシステムである、噴水システム。
【請求項２】
前記延伸システムは、前記液体が前記ノズル出口から排出されることなく、前記本体を延伸状態にするように構成される、請求項１に記載の噴水システム。
【請求項３】
複数の噴水ノズルを備え、前記延伸システムは、前記複数の噴水ノズルの各噴水ノズルの延伸及び後退を独立して制御するように構成される、請求項１に記載の噴水システム。
【請求項４】
前記作動システムは、前記各噴水ノズルからの液体の排出を独立して制御するように構成される、請求項３に記載の噴水システム。
【請求項５】
前記延伸システムは、前記噴水ノズルの前記本体を延伸及び後退するように構成されたピストンを備える、請求項１に記載の噴水システム。
【請求項６】
前記ピストンが、液圧作動ピストンを含む、請求項５に記載の噴水システム。
【請求項７】
前記ピストンが、電動ピストンを含む、請求項５に記載の噴水システム。
【請求項８】
前記作動システムは、前記液体を前記噴水ノズルの本体に流して噴水ノズルの本体を延伸するように構成されたポンプを備える、請求項１に記載の噴水システム。
【請求項９】
バルブを備え、前記作動システムは、前記本体が完全に延伸されたときに前記バルブを閉じて、前記本体内の液体を保持し、前記本体を延伸状態にするように構成される、請求項８に記載の噴水システム。
【請求項１０】
前記延伸システムは、前記噴水ノズルの前記本体を延伸及び後退するように構成された空気圧システムを備える、請求項１に記載の噴水システム。
【請求項１１】
前記作動システムは、前記液体を排出するための導管を介して前記液体を前記ノズル出口に流すように構成されたポンプを備える、請求項１に記載の噴水システム。
【請求項１２】
モジュラー噴水システムであって、
複数の噴水ノズルであって、前記複数の噴水ノズルの各噴水ノズルが、延伸及び後退中に伸縮するように構成された本体と、前記本体の端部に結合されたノズル出口と、を含む複数の噴水ノズルと、
前記複数の噴水ノズルに結合された制御システムと、
を備え、
前記制御システムは、前記複数の噴水ノズルの各噴水ノズルの延伸及び後退を独立して制御し、前記複数の噴水ノズルの少なくとも１つの噴水ノズルの前記ノズル出口から液体が排出されることなく、前記少なくとも１つの噴水ノズルの本体を延伸状態にするように構成される、モジュラー噴水システム。
【請求項１３】
前記複数の噴水ノズルの１又は２以上のそれぞれの噴水ノズルの延伸及び後退を作動させるように構成された延伸システムと、前記ノズル出口からの液体の放出を作動させるように構成された作動システムと、を備え、前記制御システムが、前記延伸システム及び前記作動システムに結合されて前記延伸システム及び前記作動システムを制御する、請求項１２に記載のモジュラー噴水システム。
【請求項１４】
前記延伸システム及び前記作動システムが、個別のシステムである、請求項１３に記載のモジュラー噴水システム。
【請求項１５】
前記制御システムは、前記複数の噴水ノズルのうちの１又は２以上の噴水ノズルからの液体の放出の作動を別個に制御するように構成される、請求項１３に記載のモジュラー噴水システム。
【請求項１６】
前記複数の噴水ノズルの各噴水ノズルの前記延伸システムは、前記噴水ノズルの前記本体を延伸及び後退するように構成されたピストンを備える、請求項１３に記載のモジュラー噴水システム。
【請求項１７】
噴水システムを利用する方法であって、
延伸システムを介して、噴水ノズルの伸縮本体の一部を液体から外に延伸し、ノズル出口が、前記液体から外に延伸する前記伸縮本体の一部の端部に結合されるステップと、
作動システムを介して、前記ノズル出口からの水の排出を作動させるステップと、
を含み、前記延伸システム及び前記作動システムは、互いに別個に機能する、方法。
【請求項１８】
前記延伸システムを介して、前記噴水ノズルの前記伸縮本体の一部を、前記ノズル出口から液体が排出されることなく延伸状態にするステップを含む、請求項１７に記載の方法。
【請求項１９】
前記噴水ノズルは、モジュラー噴水システムを形成する複数の噴水ノズルのうちの１つであり、前記方法は、前記複数の噴水ノズルのうちの１又は２以上の噴水ノズルを後退状態にしながら、前記延伸システムを介して、前記複数の噴水ノズルのうちの１又は２以上の噴水ノズルを延伸するステップを含む、請求項１７に記載の方法。
【請求項２０】
前記複数の噴水ノズルの１又は２以上の噴水ノズルから液体を排出せずに、前記作動システムを介して、前記１又は２以上の噴水ノズルからの液体の排出を作動させるステップを含む、請求項１９に記載の方法。
【発明の詳細な説明】
【技術分野】
【０００１】
本開示は、一般に、遊園地アトラクションの分野に関する。より具体的には、本開示の実施形態は、伸縮式噴水ノズルを備えたウォータアトラクションに関する。
【背景技術】
【０００２】
このセクションは、以下に説明される本開示の様々な態様に関連することができる技術の様々な態様を読み手に紹介することを意図している。この議論は、本開示の様々な態様のより良い理解を助けるための背景情報を読み手に提供するのに役立つと思われる。従って、これらの記載は、先行技術を認めるものとしてではなく、上記の観点から読むべきものであると理解されたい。
【０００３】
遊園地には、各遊園地の来園客にユニークな体験を提供する様々なアトラクションが含まれている。これらのアトラクションのうちの１つが、ウォータアトラクションである。これらのウォータアトラクションは、例えば、ショーの間に噴水を利用する場合がある。しかしながら、典型的には、これらの噴水は、使用しないときは見えたままであるか、又は水面に対して上下させるために大規模システムが必要になり、従って、このシステムの単一のプラットフォームに関連する問題があると、そのプラットフォームに関連付けられた噴水がショーの間に利用されない可能性がある。現代のアトラクションの高度化及び複雑化が進み、これに対応する遊園地及び／又はテーマパークの来園客の間の期待の高まりに伴って、ユニークな来園客体験を提供するアトラクションを含む、より創造的な改善されたアトラクションが要求される。聴衆がより洗練され要求が厳しいことに伴って、性能を損なうことがないように技術的機器を上手に隠すこと、並びにプラットフォームに関連付けられる全ての噴水に有利であり、すなわち、ライブパフォーマンス中に克服することがより容易である小さなリスクに有利であるなど、大規模な技術的故障のリスクを排除することがますます重要になっている。
【発明の概要】
【発明が解決しようとする課題】
【０００４】
最初に特許請求された主題の範囲に合った特定の実施形態が以下に要約される。これらの実施形態は、本開示の範囲を限定することを意図するものではなく、むしろ、これらの実施形態は、特定の開示された実施形態の簡単な要約を提供することのみを意図している。実際に、本開示は、以下に記載する実施形態と類似しても又は異なっていてもよい様々な形態を包含することができる。
【０００５】
１つの実施形態では、噴水システムが提供される。噴水システムは、延伸及び後退の際に伸縮するように構成された本体と、本体の端部に結合されたノズル出口とを備えた噴水ノズルを含む。噴水システムはまた、本体の延伸及び後退を作動させるように構成された延伸システムを含む。噴水システムはまた、ノズル出口からの液体の排出を作動させるように構成された作動システムを含む。延伸システムと作動システムは個別のシステムである。
【０００６】
別の実施形態では、モジュラー噴水システムが提供される。モジュラー噴水システムは、複数の噴水ノズルを含む。複数の噴水ノズルの各噴水ノズルは、延伸及び後退の際に伸縮するように構成された本体と、本体の端部に結合されたノズル出口とを含む。モジュラー噴水システムはまた、複数の噴水ノズルに結合された制御システムを含む。制御システムは、複数の噴水ノズルの各噴水ノズルの延伸及び後退を独立して制御し、複数の噴水ノズルの少なくとも１つの噴水ノズルの本体を、液体が少なくとも１つの噴水ノズルのノズル出口から排出されることなく延伸状態に保つように構成される。
【０００７】
別の実施形態では、噴水システムを利用するための方法が提供される。本方法は、延伸システムを介して、噴水ノズルの伸縮本体の一部を液体の外に延伸するステップを含む。ノズル出口は、液体から伸びる伸縮本体の一部の端部に結合される。本方法はまた、作動システムを介して、ノズル出口からの液体の排出を作動するステップを含む。延伸システム及び作動システムは互いに別個に機能する。
【０００８】
本開示のこれら及び他の特徴、態様、並びに利点は、図面全体を通じて同様の参照符号が同様の要素を示す添付図面を参照しながら以下の詳細な説明を読むと更に理解できるであろう。
【図面の簡単な説明】
【０００９】
【図１】本開示の一態様による、ウォータアトラクションの噴水システムの１つの実施形態の概略図である。
【図２】本開示の一態様による、図１の噴水システムの伸縮式噴水ノズル本体の１つの実施形態を示す図である。
【図３】本開示の一態様による、ウォータアトラクションのモジュラー噴水システム（例えば、複数の伸縮式噴水ノズルを有する）の１つの実施形態を示す図である。
【図４】本開示の一態様による、伸縮式噴水ノズルの一部と連動する延伸システム（例えば、電動ピストン）の１つの実施形態を示す図である。
【図５】本開示の一態様による、伸縮式噴水ノズルの一部と連動する延伸システム（例えば、液圧作動ピストン）の１つの実施形態を示す図である。
【図６】本開示の一態様による、伸縮式噴水ノズルと連動する延伸システム及び作動システムを含む噴水システムの１つの実施形態を示す図である。
【図７】本開示の一態様による、伸縮式噴水ノズルの一部と連動する作動システムの１つの実施形態を示す図である。
【図８】本開示の一態様による、伸縮式噴水ノズルの一部（例えば、伸縮式噴水ノズルの壁に水路を有する）と連動する作動システムの１つの実施形態を示す図である。
【図９】本開示の一態様による、ウォータアトラクションの噴水システムを利用する方法の１つの実施形態のフローチャートである。
【発明を実施するための形態】
【００１０】
１又は２以上の特定の実施形態について、以下で説明する。これらの実施形態を簡潔に説明するために、実際の実施構成の全ての特徴が本明細書に記載されている訳ではない。エンジニアリング又は設計プロジェクトにおいてみられるように、このような実際の実施構成の開発では、実施構成ごとに異なる可能性があるシステム関連及びビジネス関連の制約を伴うコンプライアンスなど、開発者固有の目標を達成するために、多くの実施構成固有の決定を行う必要があることを理解されたい。更に、このような開発努力は複雑で時間がかかる可能性があるが、それにもかかわらず、本開示の利益を有する当業者にとって、設計、製作、及び製造の日常的業務であることを理解されたい。
【００１１】
遊園地は、遊園地の乗り物、パフォーマンスショー、ゲームなど、多種多様なエンターテイメントを特徴として備える。本開示の実施形態は、遊園地又は他のエンターテイメント会場で利用することができるウォータアトラクション（例えば、ショー）のための噴水システムに向けられている。ウォータアトラクションのための噴水システムは、噴水ノズル（例：伸縮式噴水）を含むことができる。噴水ノズルは、延伸及び後退中に伸縮する(telescope)本体を含むことができる。後退中、噴水ノズルは、完全に水中に沈むことができる。延伸中、本体の一部が水の外に延びることができる。本体の端部（水の外にある）に結合されたノズル出口は、噴水ノズルに提供された水（又は他の液体）を排出する。延伸及び後退は、延伸システムを介して行うことができる。特定の実施形態では、延伸システムは、本体を（例えば、全長まで）延伸し、ノズル出口から水が排出されることなく延伸を維持することができる。特定の実施形態では、延伸システムは、噴水ノズルの本体を延伸及び後退させるためのピストン（例えば、液圧式又は電動式ピストン）を含むことができる。特定の実施形態では、延伸システムは、噴水ノズルの本体を延伸及び後退させるための空気圧システム（例えば、空気を利用する）を備える。ノズル出口からの水の排出の作動は、作動システムを介して起こすことができる。作動システムは、延伸システムとは別個又は個別のものである。特定の実施形態では、作動システムは、ポンプ（例えば、液圧作動の）を含むことができる。特定の実施形態では、当該作動システムは、空気圧縮機／ポンプを含むことができ、（例えば、空気圧作動のために）利用することができる。特定の実施形態では、電気アクチュエータ用の給電部を作動に利用することができる。制御システムは、延伸システムと作動システムの両方を制御することができる。特定の実施形態では、噴水システムは、複数の噴水ノズルを含むモジュラー噴水システムとすることができる。制御システムは、延伸及び作動システムを介して、各噴水ノズルの延伸及び後退並びに水の排出を独立して又は別々に制御することができる。従って、１又は２以上の噴水ノズルが機能しない場合、残りの噴水ノズルを使用することができる。更に、延伸及び後退並びに水の排出を制御するために別個のシステムを利用することにより、ウォータアトラクション中の伸縮式噴水ノズルの機能が拡張される。これにより、数十又は数百のノズルをサポートする大型プラットフォームを利用する必要が排除される。
【００１２】
図に目を向けると、図１は、ウォータアトラクション（例：ショー）の噴水システム１０の１つの実施形態を示している。図示のように、噴水システム１０は、水域１４内に配置された伸縮式噴水又は噴水ノズル１２を含む。水域１４は、池、湖、プール、タンク、又は建物構造（例えば、遊園地に位置する）に存在することができる。噴水ノズル１２は、第１の方向１８（例えば、垂直方向）に延伸し、第２の方向２０（例えば、反対の垂直方向）に後退する本体１６（例えば、伸縮式本体(telescopic body)）を含む。本体１６は、伸縮又は後退時に伸縮する。詳細には、本体１６は、同心配列で配置されて、延伸時に互いに対して延伸し後退時に互いに対して後退する（例えば、入れ子配列で）複数のセグメント２２を含む。図示のように、本体１６から方向１８に延びる後続の各セグメント２２は、その下の前のセグメント２２よりもより狭くなっている。従って、本体１６は、本体１６の下部２４から上部２６まで縮小する。特定の実施形態では、本体１６は、下部２４から上部２６に拡大する（図２を参照）。図示のように、噴水ノズル１２の本体１６は、一部（例えば、上部２６）が水１４の外部に配置され、一部（例えば、下部２４）が水１４内部に配置されるように完全に延伸している。特定の実施形態では、本体１６の全体が、水１４の外部に延びることができる。噴水ノズル１２は、水が排出される（例えば、参照番号３１で示される）本体１６の上部２６の端部３０に位置するノズル出口２８を含む。特定の実施形態では、ノズル出口２８は、噴水ノズル１２から水を排出するために本体１６の側部に沿って配置することができる。
【００１３】
噴水システム１０は、噴水ノズル１２の本体１６を延伸及び後退させる延伸システム３２を含む。以下でより詳細に説明するように、延伸システム３２は、本体１６を延伸及び後退させるためのピストン、ポンプ、又は他の機構を含むことができる。延伸システム３２は、噴水ノズル１２を完全に延伸、部分的に延伸、完全に後退、及び／又は部分的に後退させることができる。噴水システム１０はまた、水を作動させるか、又は噴水ノズル１２の本体１６を通って流してノズル出口２８を介して排出させる作動システム３４を含む。以下でより詳細に説明するように、作動システム３４は、噴水ノズル１２からの水の排出を制御するためのポンプ、バルブ、圧縮機、又は他の機構を含むことができる。延伸システム３２及び作動システム３４の両方は、制御システム３６（例えば、コントローラ）に結合されている。制御システム３６は、延伸システム３２及び作動システム３４を制御して、噴水ノズル１２の延伸及び後退、並びに噴水ノズル１２からの水の排出を制御する。
【００１４】
特定の実施形態では、延伸システム３２及び作動システム３４は、制御システム３６によって別個に又は独立して制御される２つの個別の又は別個のシステムである。特定の実施形態では、これにより、噴水ノズル１２の本体１６をノズルからの水又は他の液体の排出なしに延伸することが可能となる。
【００１５】
制御システム３６は、メモリ３８と、メモリ３８に記憶された命令を実行するように構成されたプロセッサ４０とを含む。プロセッサ４０は、複数のプロセッサ、１又は２以上の「汎用」マイクロプロセッサ、１又は２以上の専用マイクロプロセッサ、及び／又は１又は２以上の特定用途向け集積回路（ＡＳＩＣＳ）、又はこれらの幾つかの組み合わせを含むことができる。例えば、プロセッサ４０は、１又は２以上の縮小命令セット（ＲＩＳＣ）プロセッサ、高度ＲＩＳＣマシン（ＡＲＭ）プロセッサ、強化ＲＩＳＣ（パワーＰＣ）プロセッサによる性能最適化、フィールドプログラマブルゲートアレイ（ＦＰＧＡ）集積回路、グラフィックス処理装置（ＧＰＵ）、又は他の好適な処理装置を含むことができる。
【００１６】
メモリデバイス３８は、ランダムアクセスメモリ（ＲＡＭ）などの揮発性メモリ、読み取り専用メモリ（ＲＯＭ）などの不揮発性メモリ、フラッシュメモリ、又はこれらの何れかの組み合わせを含むことができる。メモリデバイス３８は、様々な目的に使用できる様々な情報を記憶することができる。例えば、メモリデバイス３８は、噴水ノズル１２の延伸及び後退、ノズル１２からの水又は他の液体の排出、ノズルへの水の流量を制御するための命令、又は噴水システム１０に関連する他の命令などをプロセッサ４０が実行するためのプロセッサ実行可能命令（例えば、ファームウェア又はソフトウェア）を格納することができる。１又は複数のストレージデバイス（例えば、不揮発性ストレージ）は、ＲＯＭ、フラッシュメモリ、ハードドライブ、又は他の適切な光、磁気、もしくは固体ストレージ媒体、又はこれらの組み合わせを含むことができる。
【００１７】
図３は、ウォータアトラクションのモジュラー噴水システム４２（例えば、複数の伸縮式噴水ノズル１２を有する）の１つの実施形態を示す。図３に示すように。図１に記載されるような複数の伸縮式噴水ノズル１２は、延伸システム３２、作動システム３４、及び制御システム３６に結合されて、モジュラー噴水システム４２を形成することができる。図示のように、噴水ノズル１２は、水域１４内に配置されている。特定の実施形態では、噴水ノズル１２は、共通のプラットフォーム上に配置することができる。制御システム３６は、延伸システム３２を介して、モジュラー噴水システム４２の各噴水ノズル１２の延伸及び後退を独立して又は別々に制御するように構成される。言い換えると、制御システム３６は、１又は２以上の噴水ノズル１２を延伸させ、一方、幾つかの噴水ノズル１２は、後退されたままにすることができる。また、制御システム３６は、１又は２以上の噴水ノズル１２を後退させ、一方、幾つかの噴水ノズル１２は、延伸されたままにすることができる。図示のように、モジュラー噴水システム４２は、４つの噴水ノズル４４、４６、４８、及び５０を含む。噴水ノズル１２の数は、変えることができる（例えば、１、２、３、４、５、６、７、８、９、１０、又は他の数の噴水ノズル１２）。図示のように、噴水ノズル４４、４８、５０は延伸し、噴水ノズル４６は後退している。
【００１８】
制御システム３６は、作動システム３４を介して、各噴水ノズル１２からの水又は他の液体の排出を独立して又は別々に制御するように構成される。言い換えれば、制御システム３６は、１又は２以上の噴水ノズル１２に水を排出させることができるが、一部の噴水ノズル１２は水を排出しない。図示のように、噴水ノズル４４及び４８は、参照番号５２で示されるように水を排出している。上記のように、個別の延伸部３２及び作動システム３４を有することにより、（噴水ノズル５０により図示されるように）水が噴水ノズル１２から排出されることなく、噴水ノズル１２を延伸させることが可能になる。
【００１９】
図４は、伸縮式噴水ノズル１２の一部と連動する延伸システム３２（例えば、電動ピストン５４）の１つの実施形態を示す。延伸システム３２は、噴水ノズル１２の本体１６内に配置されたピストン５４を含む。ピストン５４は、本体５８の上部セグメント１６と連動するピストンヘッド５６を含む。ノズル出口（例えば、ノズル）は、ピストンヘッド５６に結合される。特定の実施形態では、ピストンヘッド５６は、本体１６の異なるセグメント２２及び／又は本体１６の２以上のセグメント２２と連動することができる。図示のように、ピストン５４は、ピストンヘッド５６をピストン５４から延伸又は後退させる電源６０に結合される。電源６０は、制御システム３６によって制御することができる。ピストンヘッド５６がピストン５４から方向１８に延びると、ピストンヘッド５６は、本体１６の上部セグメント５８を押して本体１６を延伸させるようにする。図示のように、各ボディセグメント２２は、その下にある隣接する本体セグメント２２のリップ(lip)又はフランジ６２と連動するリップ又はフランジ６２を含む。上部セグメント５８に上方の力が作用すると、上部セグメントのフランジ６２が、隣接セグメント２２のフランジ６２に上方の力を作用して、フランジを上方に持ち上げ、他のセグメント２２のフランジ界面に沿って同様の相互作用が発生し、従って、本体１６の伸縮式の延伸を引き起こす。ピストンヘッド５６が、ピストン５４に向かって方向２０で後退すると、本体１６のセグメント２２は、後退又は互いに入れ子となる。
【００２０】
特定の実施形態では、ピストンの代替として、延伸システム３２は、タップされたセグメントから延びるねじ付きインサートを含むことができる（例えば、電気リードスクリューのくり抜き形態と同様）。タップされたセグメントは、本体１６のセグメント２２を延伸及び／又は後退するピストンヘッドと同様とすることができる。
【００２１】
図５は、伸縮式噴水ノズル１２の一部と連動する延伸システム３２（例えば、液圧作動ピストン又は空気圧作動ピストン５４）の１つの実施形態を示す。ピストン５４は、ピストン５４が液圧又は空気圧で作動されることを除いて、図４に記載の通りである。従って、ピストンヘッド５６の移動は、ピストン５４内の流体（例えば、空気、水など）を介して作動される。
【００２２】
図６は、伸縮式噴水ノズル１２と連動する延伸システム３２及び作動システム３４を含む噴水システム１０の１つの実施形態を示す。伸縮式噴水ノズル１２は、上記の通りである。図示のように、延伸システム３２は、伸縮ノズル１２の本体１６を通って延びる導管６４を含む。１又は２以上のバルブを導管６４に沿って異なる場所に配置することができる。図示のように、バルブ６６は、本体１６の底部２４にてセグメント２２内の導管６４に沿って配置されている。加えて、バルブ６８が、本体１６の上部２６付近のセグメント２２に隣接する導管６４に沿って配置されている。延伸システム３２はまた、流体源７２（例えば、水、空気圧システム内の空気など）に結合されたポンプ７０を含む。ポンプ７０は、導管７４を介して導管６４に結合され、流体（例えば、水、空気など）を導管６４に提供するように構成される。特定の実施形態では、導管６４は、ノズル出口２８に結合することができる。導管６４に流体を提供することにより、伸縮ノズル１２の本体１６を延伸する。制御システム３６は、ポンプ７０及びバルブ６６、６８に結合され、これらを制御する。制御システム３６は、バルブ６６を開いてバルブ６８を閉じ、ポンプ７０が流体を導管６４に送り込んで本体１６を延伸させることができる。本体１６の所望通りに延伸すると、制御システム３６は、バルブ６６を閉じて本体１６の延伸を維持すると共に、ポンプ７０からの流体の流れを停止することができる。特定の実施形態では、本体１６の延伸は、ノズル出口２８からの水の排出を作動させることなく、維持することができる。特定の実施形態では、出口は、導管６４及び／又は導管７４に結合されて、導管６４内から流体を放出して（例えば、バルブ６６が開いたときに）、本体１６の後退を可能にすることができる。
【００２３】
特定の実施形態では、別個の作動システム３４もまた、ノズル出口２８からの水の排出を作動させるために制御システム３６に結合される。図示のように、作動システム３４は、水供給源７８（例えば、水域１４）に結合されたポンプ７６を含む。ポンプ７６は、導管８０に結合される。図示のように、導管８０は、本体１６内に配置された導管８２（例えば、導管６４とは別のもの）に結合される。導管８２は、ノズル出口２８に結合される。特定の実施形態では、導管８２は、本体１６の１又は２以上の壁内に配置することができる。特定の実施形態では、導管８２は、本体１６の壁の間の空間（例えば、キャビティ）内に配置することができる。制御システム３６からの信号を受けると、ポンプ７６は、ノズル出口２８から排出するために導管８２に水を提供する。特定の実施形態では、導管８０又は８２は、導管６４に結合（例えば、流体結合）されて、バルブ６８が開いているときにノズル出口２８から排出するための水を提供することができる。特定の実施形態では、システム１０は、排水のための延伸及び作動の両方で単一のポンプを利用することができる。
【００２４】
図７は、伸縮式噴水ノズル１２の一部と連動する作動システム３４の実施形態を示している。作動システム３４は、上記のように、ポンプ７６、水供給源７８、及び導管８０を含む。噴水ノズル１２は、本体１６を延ばす延伸位置において、上記のように（例えば、電気又は液圧作動する）ピストン５４を含む。ポンプ７６が導管８０（例えば、ノズル出口２８に結合された可撓性ホース又は剛性取付具）を介してノズル出口２８に水を提供すると、水は、噴水ノズル１２から排出される（参照番号９０により示されるように）。
【００２５】
図８は、伸縮式噴水ノズル１２の一部と連動する（例えば、伸縮式噴水ノズル１２の壁に水路を有する）作動システム３４の１つの実施形態を示す。作動システム３４は、上記のように、ポンプ７６、水供給源７８、及び導管８０を含む。噴水ノズル１２は、本体１６を延ばす延伸位置において、上記のように（例えば、電気的又は液圧的作動する）ピストンヘッド５６を含む。通路９２は、本体１６の上部セグメント２２の壁９３を通って延びる。ポンプ７６が噴水ノズル１２に水を提供すると、水は、導管８０を介して、通路９２（参照番号９４によって示される）を通り、及び噴水ノズル１２から水を排出するためのノズル出口２８を形成する通路８８（参照番号９６によって示される）を通過する。図示のように、通路９２は、本体１６内の内部（例えば、キャビティ）に流体結合される。特定の実施形態では、通路９２は、導管８０が通路９２に直接結合された状態で、本体１６の１又は２以上のセグメント２２の１又は２以上の壁９３内にのみ配置することができる。
【００２６】
図９は、ウォータアトラクションの噴水システム１０を利用するための方法９８の１つの実施形態のフローチャートである。方法９８の１又は２以上のステップは、制御システム３６によって（例えば、延伸システム３２及び作動システム３４を介して）実行することができる。方法９８の１又は２以上のステップは、同時に及び／又は図示されたものとは異なる順序で実行されてもよい。加えて、方法９８は、単一の噴水ノズル１２又はモジュラー噴水システムの１又は２以上の噴水ノズルを利用して実行することができる。方法９８は、延伸システム３２を介して、伸縮式噴水ノズル１２の一部を水の外に延伸するステップ（ブロック１００）を含む。特定の実施形態では、方法９８は、ノズル出口２８から水を排出することなく、伸縮式噴水ノズル１２を延伸した状態にするステップ（ブロック１０２）を含む。方法９８はまた、作動システム３４を介して、ノズル出口２８からの水の排出を作動するステップを含む。特定の実施形態では、延伸システム３２及び作動システム３４は、上記のように互いに別個に機能する個別システムである。
【００２７】
本開示の特定の特徴のみを本明細書に図示し説明したが、多くの修正及び変更が当業者に見出されるであろう。従って、添付の特許請求の範囲は、本開示の真の趣旨に属するような修正及び変更の全てを包含するように意図されると理解すべきである。本明細書で提示され特許請求された技術は、本発明の技術分野を明らかに改善する有形物及び実際的な性質の具体例に参照及び適用され、このため、抽象的、無形又は純粋に理論上のものではない。更に、本明細書に添付されたあらゆる請求項が、「ある機能を実行する手段」又は「ある機能を実行するステップ」として指定された１又は２以上の要素を包含する場合には、このような要素は、米国特許法第１１２条（ｆ）に基づいて解釈されることを意図している。しかしながら、他の何れかの様態で指定された要素を含む何れかの請求項については、このような要素は、米国特許法第１１２条（ｆ）に基づいて解釈されないものとする。
【図１】
2021536356.tif 000003
【図２】
2021536356.tif 000004
【図３】
2021536356.tif 000005
【図４】
2021536356.tif 000006
【図５】
2021536356.tif 000007
【図６】
2021536356.tif 000008
【図７】
2021536356.tif 000009
【図８】
2021536356.tif 000010
【図９】
2021536356.tif 000011
【国際調査報告】
2021536356.tif 000012
2021536356.tif 000013
2021536356.tif 000014